(57)【要約】【課題】  入力同期信号が不正規な信号となった場合にもＯＣＢ液晶の逆転移の発生を防止する。【解決手段】  液晶表示装置に、同期信号検出部１０１と、自発同期信号生成部１０４と、同期信号選択部１０３と、同期切換信号生成部１０２を設ける。同期切換信号生成部１０２は、正規の入力同期信号が入力されない状態が所定時間以上継続した時点から、正規の入力同期信号が入力されておりかつ同期信号選択部１０３が自発同期信号を選択してから所定の補償時間以上経過した時点まで、同期信号選択部１０３に自発同期信号を選択させる。【選択図】  図１ 
2005062743.tif 000002
【特許請求の範囲】
【請求項１】
入力映像信号と入力同期信号に基づいてＯＣＢモードの液晶パネルを駆動する液晶表示装置であって、
前記入力同期信号に基づいて、正規の入力同期信号が入力されているかどうかを示す同期検出信号を生成する同期信号検出部と、
自発同期信号を生成する自発同期信号生成部と、
前記入力同期信号および前記自発同期信号のいずれか一方を前記液晶パネルを駆動するための同期信号として選択する同期信号選択部と、
前記同期検出信号に基づいて前記同期信号選択部の選択動作を制御する同期切換信号生成部とを備え、
前記同期切換信号生成部は、正規の入力同期信号が入力されない状態が所定時間以上継続した時点から、正規の入力同期信号が入力されておりかつ前記同期信号選択部が前記自発同期信号を選択してから所定の補償時間以上経過した時点まで、前記同期信号選択部に前記自発同期信号を選択させることを特徴とする、液晶表示装置。
【請求項２】
前記同期切換信号生成部は、正規の入力同期信号が入力されなくなってから前記同期信号選択部が前記自発同期信号を選択するまでの時間に応じて前記補償時間を適応制御することを特徴とする、請求項１に記載の液晶表示装置。
【請求項３】
前記同期切換信号生成部は、正規の入力同期信号が入力されなくなってから前記同期信号選択部が前記自発同期信号を選択するまでの時間が長くなるほど前記補償時間を長くすることを特徴とする、請求項２に記載の液晶表示装置。
【請求項４】
前記同期切換信号生成部は、当該同期切換信号生成部に入力される前記同期検出信号の履歴を考慮して、前記同期信号選択部に前記自発同期信号を選択させるタイミングを決定することを特徴とする、請求項１に記載の液晶表示装置。
【請求項５】
前記同期切換信号生成部は、前記同期検出信号が、入力同期信号が不正規であることを示す期間の、一定期間内での累積時間に基づいて、前記同期信号選択部に前記自発同期信号を選択させるタイミングを決定することを特徴とする、請求項１に記載の液晶表示装置。
【請求項６】
温度検出部をさらに備え、
前記同期切換信号生成部は、前記温度検出部の検出結果に応じて前記補償時間を適応制御することを特徴とする、請求項１に記載の液晶表示装置。
【請求項７】
前記同期切換信号生成部は、前記温度検出部によって検出される温度が高くなるほど前記補償時間を長くすることを特徴とする、請求項６に記載の液晶表示装置。
【請求項８】
正規の入力同期信号が入力されなくなってから前記同期信号選択部が前記自発同期信号を選択するまでの時間が所定の限界時間を超えた場合に、前記液晶パネルを自動的に転移駆動することを特徴とする、請求項１に記載の液晶表示装置。
【請求項９】
自発映像信号を生成する自発映像信号生成部と、
前記入力映像信号および前記自発映像信号のいずれか一方を前記液晶パネルを駆動するための映像信号として選択する映像信号選択部とをさらに備え、
前記映像信号選択部は、前記同期信号選択部が前記自発同期信号を選択している期間において前記自発映像信号を選択することを特徴とする、請求項１に記載の液晶表示装置。
【請求項１０】
前記自発映像信号が、前記液晶パネルの画面全体に黒または黒に近い色を表示するための信号であることを特徴とする、請求項９に記載の液晶表示装置。
【請求項１１】
前記同期信号選択部が前記自発同期信号を選択している期間において、前記入力映像信号の替わりに、黒を表示するための電圧よりも高い電圧が前記液晶パネルの各画素に印加されることを特徴とする、請求項１に記載の液晶表示装置。
【発明の詳細な説明】
【技術分野】
【０００１】
本発明は、アクティブマトリクス型の液晶表示装置に係り、特に広視野角、高速応答性を有するＯＣＢ（Ｏｐｔｉｃａｌｌｙ  ｓｅｌｆ−Ｃｏｍｐｅｎｓａｔｅｄ  Ｂｉｒｅｆｒｉｎｇｅｎｃｅ）モードの液晶表示装置に関するものである。
【背景技術】
【０００２】
周知のとおり、液晶表示装置は、コンピュータ装置等の画面表示デバイスとして数多く使用されているが、今後はＴＶ用途での使用拡大も見込まれている。しかしながら現在広く使用されているＴＮ（Ｔｗｉｓｔｅｄ  Ｎｅｍａｔｉｃ）モードは視野角が狭く、応答速度も不充分で、視差によるコントラストの低下や、動画像のボケなど、ＴＶとして使用する際の表示性能には大きな課題がある。
【０００３】
近年、上記ＴＮモードに代わり、ＯＣＢモードに関する研究が進んでいる。ＯＣＢは、ＴＮに比べ、広視野角、高速応答という特性を持ち、自然動画表示により適した表示モードであるといえる。
【０００４】
以下、従来のＯＣＢモードの液晶表示装置に関して説明する。図１１において、従来のＯＣＢモードの液晶表示装置は、信号変換部１０５と、制御パルス生成部１０６と、ソースドライバ１０７と、ゲートドライバ１０８と、ＯＣＢモードの液晶パネル１０９とを備える。
【０００５】
信号変換部１０５は、入力映像信号をＲ倍速化し（ただしＲ＝（Ｎ＋１）／Ｎ、Ｎは１以上の整数）、Ｒ倍速化することによって生じた余裕期間に非表示信号を挿入して出力する。
【０００６】
制御パルス生成部１０６は、各ドライバを駆動するためのパルス（ソースドライバ制御信号、ゲートドライバ制御信号）を生成する。
【０００７】
信号変換部１０５からは、上記の表示信号および非表示信号がソースドライバ１０７に送られる。ソースドライバ１０７は、制御パルス生成部１０６から送られるソースドライバ制御信号の制御のもとに、これらの表示信号および非表示信号の極性と電圧を各画素に適切な極性と電圧に変換し、表示信号電圧および非表示信号電圧として出力する。
【０００８】
ゲートドライバ１０８は、制御パルス生成部１０６から送られるゲートドライバ制御信号の制御のもとに、ソースドライバ１０７からの上記表示信号電圧または非表示信号電圧の出力と同期して、液晶パネル１０９の各ゲート線上に設けられたＴＦＴのオン電位またはオフ電位を供給する。
【０００９】
ところで、ＯＣＢモードの液晶表示装置では、映像表示を開始する起動段階においてＴＮ型セルにはない独特の駆動が必要となる。ＯＣＢセルは、画像表示が不可能な状態にあたるスプレイ配向（図１２（ａ））と、画像表示が可能な状態にあたるベンド配向（図１２（ｂ）、図１２（ｃ））とをもつ。スプレイ配向からベンド配向に移行する（以下、転移とよぶ）ためには、一定時間高電圧を印加するなどの独特の駆動（以下、転移駆動とよぶ）が必要となる。ただし、この転移駆動の詳細に関しては本発明とは直接関係しないので、これ以上の説明は行わない。
【００１０】
ＯＣＢセルは、転移駆動により一旦ベンド配向に転移しても、所定のレベル以上の電圧が一定時間以上印加されない状態が続くと、ベンド配向が維持できずスプレイ配向に戻る（以下、この現象を逆転移とよぶ）という問題がある。
【００１１】
逆転移の発生を抑圧するには、周期的に高い電圧を引加すればよいことが知られている。この高い電圧に相当するのが前述の非表示信号電圧であり、この非表示信号電圧を周期的に印加することにより逆転移の発生が抑圧できる。非表示信号電圧は、逆転移の発生の抑圧効果および表示画質の観点から、黒表示に相当する上記表示信号電圧の最大電圧とするのが一般的である。これ以降、周期的に黒レベル近傍の高電圧を印加し、逆転移を抑圧する駆動を黒挿入駆動とよぶことにする。
【００１２】
図１３に一般的なＯＣＢの電圧−透過率曲線を示す。図１３において、曲線１３０１は逆転移防止のための所定電圧を挿入しない場合の電圧−透過率曲線であり、曲線１３０２は、逆転移防止のための所定電圧を挿入した黒挿入駆動の場合の電圧−透過率曲線である。また電圧１３０３は、逆転移防止をしない場合のベンド配向からスプレイ配向への逆転移が起きる臨界電圧である。また電圧１３０４は最も高い透過率の時の電圧（白電圧）であり、電圧１３０５は最も低い透過率の時の電圧（黒電圧）である。ちなみに、黒挿入駆動を行わない場合は、臨界電圧以下ではスプレイ配向に戻ってしまうため適切な透過率が得られず、従って常に臨界電圧以上の電圧で駆動しなければならない。しかしながらその場合には、図に示すように電圧１３０３に対応する透過率が最高透過率となるため、十分な輝度が得られない。
【００１３】
次に黒挿入駆動について説明する。なお、説明を分かり易くするために、便宜上、液晶パネル１０９のソース線数は１０ライン（Ｓ１〜Ｓ１０）、ゲート線数は１２ライン（Ｇ１〜Ｇ１２）とし、また１フレーム期間は１２水平期間から成るものとする。液晶パネル１０９上の各画素に対して、上記表示信号電圧と上記非表示信号電圧とが１フレーム期間に１度ずつ書き込まれる。信号変換部１０５は、入力映像信号から、非表示信号を含む、例えば図１４に示すような出力信号を生成して出力する。
【００１４】
図１４は、入力映像信号、信号変換部１０５の出力信号、およびゲートドライバ１０８から出力されるゲートドライバ駆動パルスＰ１〜Ｐ１２のタイミングを示す図である。図１４において、ゲートパルスＰ１〜Ｐ１２は、それらのＨＩ期間において液晶パネル１０９上の１２本のゲート線（ＧＬ１〜ＧＬ１２）をそれぞれ選択するパルスである。液晶パネル１０９上の各ゲート線（Ｇ１〜Ｇ１２）は、図１４に示すように１フレーム期間にそれぞれ２回ずつ選択され、各ゲート線上の画素には、表示信号と非表示信号とが１回ずつ書き込まれる。こうして、液晶パネル１０９の各画素には非表示信号が周期的に書き込まれることとなる。
【００１５】
ところで、ＣＲＴでは、正常な同期信号が入力されない異常な駆動状態が継続すると、表示装置が破損する恐れがある。このような問題を回避するために、従来、無信号状態などで同期信号が正常に入力されないときに、図１５に示すように、装置内部で生成した自発同期信号を一時的に使用して自走状態でディスプレイ装置を駆動する方法が存在する（例えば、特許文献１参照。）。
【００１６】
このような駆動方法は、ＯＣＢモードの液晶表示装置にも有効である。つまり、ＯＣＢ液晶では、前述のように高電圧が印加されない状態が続くと逆転移が発生してしまうため、無信号状態が続くと表示能力を失ってしまう。そこで、図１５に示すように、入力同期信号が不正規となったときに、液晶パネル１０９を駆動するための同期信号を自発同期信号に切替えることで、不正規期間が長い場合にも逆転移の発生を回避することができる。
【特許文献１】特開平１１−３４１３０３号公報
【発明の開示】
【発明が解決しようとする課題】
【００１７】
しかしながら、上記従来の駆動方法をＯＣＢモードの液晶表示装置に適用した場合でも、場合によっては前述の逆転移が発生してしまう可能性があることが判明した。
【００１８】
高電圧が印加されない期間が長くなるにつれて、ＯＣＢ液晶の状態は徐々に逆転移しやすい状態に近づき、最終的にあるタイミングで逆転移が生じる。つまり、図１５において、液晶パネル１０９が自走状態となった直後は、入力同期信号が不正規となってから液晶パネル１０９が自走状態となるまでのタイムラグに相当する時間だけ高電圧が印加されない期間が続いていたため、ＯＣＢ液晶の状態は逆転移しやすい状態となっている。そして、自走状態が続くにつれて、ＯＣＢ液晶の状態は徐々に安定した状態となる。
【００１９】
しかしながら、図１６に示すように、入力同期信号が一旦正規に戻ってからすぐに不正規になってしまった場合には、ＯＣＢ液晶の状態が十分に安定した状態に戻る前に再び高電圧が印加されない状態が発生するため、逆転移が発生してしまう。
【００２０】
それゆえに本発明は、入力同期信号が不正規な信号となっても逆転移が発生しないような液晶表示装置を提供することを目的とする。
【課題を解決するための手段】
【００２１】
上記課題を解決するために本発明は以下の構成を採用した。なお、括弧内の参照符号や説明は本発明の理解を助けるために後述する実施形態との対応関係を示したものであって、本発明の範囲を何ら限定するものではない。
【００２２】
本発明の液晶表示装置は、入力同期信号に基づいて、正規の入力同期信号が入力されているかどうかを示す同期検出信号を生成する同期信号検出部（１０１）と、自発同期信号を生成する自発同期信号生成部（１０４）と、入力同期信号および自発同期信号のいずれか一方を液晶パネル（１０９）を駆動するための同期信号として選択する同期信号選択部（１０３）と、同期検出信号に基づいて同期信号選択部の選択動作を制御する同期切換信号生成部（１０２）とを備え、同期切換信号生成部は、正規の入力同期信号が入力されない状態が所定時間（Ｔｔｈ）以上継続した時点から、正規の入力同期信号が入力されておりかつ同期信号選択部が自発同期信号を選択してから所定の補償時間（Ｔｃ）以上経過した時点まで、同期信号選択部に自発同期信号を選択させることを特徴とする。
【００２３】
なお、同期切換信号生成部（１０２）は、正規の入力同期信号が入力されなくなってから同期信号選択部が自発同期信号を選択するまでの時間（Ｔｉｎｖ）に応じて補償時間（Ｔｃ）を適応制御するようにしてもよい。より具体的には、正規の入力同期信号が入力されなくなってから同期信号選択部が自発同期信号を選択するまでの時間（Ｔｉｎｖ）が長くなるほど補償時間（Ｔｃ）を長くするようにしてもよい。
【００２４】
また、同期切換信号生成部（１０２）は、前記同期検出信号が、入力同期信号が不正規であることを示す期間の、一定期間内での累積時間に基づいて、同期信号選択部に自発同期信号を選択させるタイミングを決定するようにしてもよい（図５）。
【００２５】
また、温度検出部（９０１）をさらに備え、同期切換信号生成部（１０２）は、温度検出部の検出結果に応じて補償時間（Ｔｃ）を適応制御するようにしてもよい。より具体的には、温度検出部によって検出される温度が高くなるほど補償時間（Ｔｃ）を長くするようにしてもよい。
【００２６】
また、正規の入力同期信号が入力されなくなってから同期信号選択部が自発同期信号を選択するまでの時間（Ｔｉｎｖ）が所定の限界時間（Ｔｌｉｍ）を超えた場合に、液晶パネルを自動的に転移駆動するようにしてもよい。ここで「転移駆動」とは、上述したように、ＯＣＢ液晶をスプレイ配向からベンド配向に状態遷移させるための駆動である。
【００２７】
また、自発映像信号を生成する自発映像信号生成部（１００１）と、入力映像信号および自発映像信号のいずれか一方を液晶パネル（１０９）を駆動するための映像信号として選択する映像信号選択部（１００２）とをさらに備え、映像信号選択部は、同期信号選択部が自発同期信号を選択している期間において自発映像信号を選択するようにしてもよい。
【００２８】
また、自発映像信号が、液晶パネル（１０９）の画面全体に黒または黒に近い色を表示するための信号であってもよい。
【００２９】
また、同期信号選択部が自発同期信号を選択している期間において、入力映像信号の替わりに、黒を表示するための電圧よりも高い電圧が液晶パネル（１０９）の各画素に印加されるようにしてもよい。
【発明の効果】
【００３０】
本発明の液晶表示装置によれば、入力同期信号が不正規な信号となった場合にもＯＣＢ液晶の逆転移の発生を防止することができる。
【発明を実施するための最良の形態】
【００３１】
（第１の実施形態）
図１に、本発明の第１の実施形態に係る液晶表示装置の構成を示す。図１において、液晶表示装置は、同期信号検出部１０１と、同期切換信号生成部１０２と、同期信号選択部１０３と、自発同期信号生成部１０４と、信号変換部１０５と、制御パルス生成部１０６と、ソースドライバ１０７と、ゲートドライバ１０８と、液晶パネル１０９とを備える。なお、図１において、信号変換部１０５、制御パルス生成部１０６、ソースドライバ１０７、ゲートドライバ１０８および液晶パネル１０９については図１１に示したものと同様であるため、ここでは説明を省略する。
【００３２】
図２に、図１の鎖線で囲った部分の構成を示す。図２において、自発同期信号生成部１０４は、液晶パネル１０９を自走状態で駆動するための自発同期信号を生成する。同期信号選択部１０３は、後述する同期切換信号に応じて、入力同期信号と、自発同期信号を切り替えながら選択同期信号として出力する。
【００３３】
同期信号検出部１０１は、入力同期信号（クロック、水平同期信号、垂直同期信号）が所定の周期であるかどうかを自発同期信号を使用して判定し、判定結果を同期検出信号として出力する。ここでは、図３に示すように、正規の同期信号が入力している場合の同期検出信号を“ＶＡＬＩＤ”、不正規な同期信号が入力している場合の同期検出信号を“ＩＮＶＡＬＩＤ”と呼ぶ。
【００３４】
同期切換信号生成部１０２は、ＶＡＬＩＤが入力しつづけている間は、同期信号選択部１０３において入力同期信号を選択するための同期信号（ＳＥＬｏｕｔ）を出力する。
【００３５】
同期切換信号生成部１０２は、入力する同期検出信号がＩＮＶＡＬＩＤである状態が所定の時間（Ｔｔｈ）以上継続すると、同期信号選択部１０３において自発同期信号を選択するための同期切換信号（ＳＥＬｉｎ）の出力を開始する。このとき、図３に示すように、同期検出信号がＩＮＶＡＬＩＤとなってから同期切換信号がＳＥＬｉｎとなるまでの期間は、選択同期信号として不正規な入力同期信号が同期信号選択部１０３から出力されることになるため黒挿入駆動が正常に行われない。したがって、同期切換信号がＳＥＬｉｎとなった直後は、液晶パネル１０９のＯＣＢ液晶は逆転移しやすい状態にある。そこで、本実施形態では、ＯＣＢ液晶が安定した状態（逆転移しにくい状態）になるまで自走状態を続行する。自走状態を続行する時間（補償時間Ｔｃと呼ぶ。）は、十分な長さに設定しておくのが好ましい。
【００３６】
例えば、図３に示すように、補償時間Ｔｃが経過した時点で同期検出信号がＶＡＬＩＤに戻っていたときには、同期切換信号生成部１０２は、補償時間Ｔｃが経過した時点で同期切換信号をＳＥＬｏｕｔとする。また、図４に示すように、補償時間Ｔｃが経過した時点で同期検出信号がＩＮＶＡＬＩＤだったときには、同期切換信号生成部１０２は、補償時間Ｔｃが経過後、同期検出信号がＶＡＬＩＤに戻った時点で同期切換信号をＳＥＬｏｕｔとする。
【００３７】
以上のように、本実施形態によれば、選択同期信号として不正規な入力同期信号が選択された場合に、少なくとも補償時間Ｔｃは自走状態が継続される。したがって、選択同期信号が自発同期信号から入力同期信号に切り替わる時点でＯＣＢ液晶が安定した状態となっていることが補償される。よって、図１６に示すように、不正規な同期信号が断続的に入力された場合にも逆転移は発生しない。
【００３８】
なお、本実施形態では、「同期切換信号生成部１０２は、入力する同期検出信号がＩＮＶＡＬＩＤである状態が所定の時間（Ｔｔｈ）以上継続すると、同期信号選択部１０３において自発同期信号を選択するための同期切換信号（ＳＥＬｉｎ）の出力を開始する」としたが、所定の時間（Ｔｔｈ）は、同期検出信号の履歴に依存して決定されるのが好ましい。というのも、液晶パネル１０９が不正規な同期信号で駆動されてしまった期間の影響が完全にキャンセルされるためには、その期間に対応した所定の期間、正規の同期信号（入力同期信号または自発同期信号）で液晶パネル１０９を駆動する必要があり、例えば図５に示すように不正規な同期信号が短い時間で断続的に入力されたときには、時間（Ｔｔｈ）を徐々に短くする必要があるからである。このような時間（Ｔｔｈ）の制御は、例えば、同期切換信号生成部１０２で、同期検出信号がＩＮＶＡＬＩＤである期間の、一定期間内での累積時間に基づいて時間（Ｔｔｈ）を減じることで実現できる。この「一定期間」は、パネルの性能を鑑みて安全な値に設定する。
【００３９】
なお、本実施形態では、図２において、同期信号検出部１０１および同期切換信号生成部１０２は、自発同期信号生成部１０４から出力される自発同期信号に基づいて動作するとしたが、本発明はこれに限らず、例えば図６に示すように、自発同期信号に替えて、自発基準信号生成部６０１で生成した自発同期信号以外の基準信号（例えばクロック）を使用してもよい。
【００４０】
なお、本実施形態において、補償時間Ｔｃは十分な長さに設定しておくのが好ましいと説明したが、補償時間Ｔｃが長くなるほど、液晶表示装置の利用者にとっては正規の入力同期信号に切り替わるまで待たされることになる。そこで、補償時間Ｔｃは十分な長さでかつできるだけ短いのが好ましい。ところで、液晶パネル１０９が正常に駆動されない期間（図３のＴｉｎｖに相当。なお、基本的にはＴｔｈとＴｉｎｖは極めて近い値になるが、システム上の制約から、Ｔｔｈ経過後即座に同期切換信号をＳＥＬｉｎに切替えられない場合も想定される。）が長いほど、ＯＣＢ液晶が安定した状態に戻るのに要する時間は長くなる。例えば、図７は、液晶パネル温度が２５℃である状態において、黒挿入駆動が中断された時間と、その後ＯＣＢ液晶が安定した状態に戻るのに必要となる黒表示期間（液晶パネルを黒レベルで駆動しつづける期間）との相関を示す図である。図７において、横軸は、黒挿入駆動が中断された時間を示しており、縦軸は、その後ＯＣＢ液晶が安定した状態に戻るのに必要となる黒表示期間を示している。そこで、同期切換信号生成部１０２は、正規の入力同期信号が入力されなくなってから同期信号選択部１０３が自発同期信号を選択するまでの時間（図３、図４のＴｉｎｖに相当）を計測し、この計測結果に応じて補償時間（Ｔｃ）を適応制御するのが好ましい。具体的には、Ｔｉｎｖが長くなるほど補償時間Ｔｃを長くするのが好ましい。このような適応制御により、自走状態から入力同期信号に基づく正常の駆動状態への復帰に要する時間を必要以上に長くならないようにすることが可能となる。なお、Ｔｉｎｖがある限界時間（Ｔｌｉｍ）を超えてしまうと、その時点で逆転移が発生してしまう。よって、Ｔｉｎｖがある限界時間（Ｔｌｉｍ）を超えたと分かった時点で、同期切換信号生成部１０２は、液晶表示装置に転移駆動を開始させるための信号を出力して、自動的に転移駆動が実行されるようにしてもよい。
【００４１】
なお、ＯＣＢ液晶が安定した状態に戻るのに要する時間は液晶パネル１０９の温度にも依存していることが判明した。例えば、図８は、液晶パネル温度が２５℃、４０℃、６０℃である状態において、黒挿入駆動が中断された時間と、その後ＯＣＢ液晶が安定した状態に戻るのに必要となる黒表示期間（液晶パネルを黒レベルで駆動しつづける期間）との相関を示す図である。図８において、横軸は、黒挿入駆動が中断された時間を示しており、縦軸は、その後ＯＣＢ液晶が安定した状態に戻るのに必要となる黒表示期間を示している。図８から分かるように、黒挿入駆動が中断された時間が等しい場合には、液晶パネルの温度が高いほど、ＯＣＢ液晶が安定した状態に戻るのに要する時間も長くなる。ここで、もし補償時間Ｔｃを一定とすると、任意の温度に対して確実に逆転移の発生を抑圧するためには、液晶パネルの使用が想定される最高温度に対応してＴｃを設定する必要があるが、そうすると、自走状態から正常の駆動状態への復帰に要する時間が長くなってしまう。そこで、図９に示すように新たに温度検出部９０１を設け、同期切換信号生成部１０２が、この温度検出部９０１から出力される温度信号に応じて補償時間Ｔｃを適応制御するのが好ましい。具体的には、温度検出部９０１が検出する温度が高くなるほど補償時間Ｔｃを長くするのが好ましい。このような適応制御により、自走状態から正常の駆動状態への復帰に要する時間を必要以上に長くならないようにすることが可能となる。温度検出部９０１は、好ましくは液晶パネル１０９の近傍、さらに好ましくはＯＣＢ液晶の近傍に設置される。なお、Ｔｉｎｖと温度の両方に応じて補償時間Ｔｃを適応制御するようにしてももちろん構わない。
【００４２】
（第２の実施形態）
図１０に、本発明の第２の実施形態に係る液晶表示装置の構成を示す。図１０において、液晶表示装置は、同期信号検出部１０１と、同期切換信号生成部１０２と、同期信号選択部１０３と、自発同期信号生成部１０４と、信号変換部１０５と、制御パルス生成部１０６と、ソースドライバ１０７と、ゲートドライバ１０８と、液晶パネル１０９と、自発映像信号生成部１００１と、映像信号選択部１００２とを備える。なお、図１０において、図１と同様の構成には同一の参照符号を付し、説明を省略する。
【００４３】
第２の実施形態が第１の実施形態と異なる点は、自発映像信号生成部１００１および映像信号選択部１００２をさらに備える点である。
【００４４】
自発映像信号生成部１００１は、液晶パネル１０９を自走状態で駆動するときに表示する自発映像信号を生成する。映像信号選択部１００２は、同期切換信号生成部１０２から出力された同期切換信号に応じて、入力映像信号と、自発映像信号を切り替えながら選択映像信号として信号変換部１０５に供給する。
【００４５】
本実施形態によれば、液晶パネル１０９が自走状態で駆動されるときに自発映像信号に基づく画面が表示されるため、無信号状態において乱れた画像が表示されるのを防止することができる。
【００４６】
なお、自発映像信号として黒表示またはそれに近い表示に相当する映像信号を用いれば、自走状態においてＯＣＢ液晶に高い電圧が印加されることになり、必要となる補償時間Ｔｃをより短縮することができるため好ましい。なお、自走状態においてＯＣＢ液晶により高い電圧を印加するという観点からすれば、自走状態において、黒表示に相当する電圧よりもさらに高い電圧（図１３に示す電圧１３０５よりも高い電圧）を印加することがより好ましい。
【産業上の利用可能性】
【００４７】
本発明によれば、例えば入力同期信号が断続的に不正規となるような場合においても逆転移が発生せず、引き続き映像表示が可能なＯＣＢモードの液晶表示装置が実現できる。
【図面の簡単な説明】
【００４８】
【図１】本発明の第１の実施形態に係る液晶表示装置の構成を示すブロック図
【図２】本発明の第１の実施形態に係る液晶表示装置の構成の一部を示すブロック図
【図３】本発明の第１の実施形態に係る液晶表示装置の動作を示すタイミング図
【図４】本発明の第１の実施形態に係る液晶表示装置の動作を示す別のタイミング図
【図５】本発明の第１の実施形態に係る液晶表示装置の動作を示すさらに別のタイミング図
【図６】本発明の第１の実施形態に係る液晶表示装置の変形例を示すブロック図
【図７】液晶パネル温度が２５℃である状態において、黒挿入駆動が中断された時間と、その後ＯＣＢ液晶が安定した状態に戻るのに必要となる黒表示期間との相関を示す図
【図８】液晶パネル温度が２５℃、４０℃、６０℃である状態において、黒挿入駆動が中断された時間と、その後ＯＣＢ液晶が安定した状態に戻るのに必要となる黒表示期間との相関を示す図
【図９】本発明の第１の実施形態に係る液晶表示装置の別の変形例を示すブロック図
【図１０】本発明の第２の実施形態に係る液晶表示装置の構成を示すブロック図
【図１１】従来の液晶表示装置の構成を示すブロック図
【図１２】ＯＣＢ液晶の特性を示す図
【図１３】ＯＣＢ液晶の電圧−透過率特性を示す図
【図１４】入力映像信号、信号変換部の出力信号、およびゲートドライバから出力されるゲートドライバ駆動パルスのタイミングを示す図
【図１５】従来の液晶表示装置の動作を示す別のタイミング図
【図１６】従来の液晶表示装置の動作を示すさらに別のタイミング図
【符号の説明】
【００４９】
１０１  同期信号検出部
１０２  同期切換信号生成部
１０３  同期信号選択部
１０４  自発同期信号生成部
１０５  信号変換部
１０６  制御パルス生成部
１０７  ソースドライバ
１０８  ゲートドライバ
１０９  液晶パネル
６０１  自発基準信号生成部
９０１  温度検出部
１００１  自発映像信号生成部
１００２  映像信号選択部
【図１】
2005062743.tif 000003
【図２】
2005062743.tif 000004
【図３】
2005062743.tif 000005
【図４】
2005062743.tif 000006
【図５】
2005062743.tif 000007
【図６】
2005062743.tif 000008
【図７】
2005062743.tif 000009
【図８】
2005062743.tif 000010
【図９】
2005062743.tif 000011
【図１０】
2005062743.tif 000012
【図１１】
2005062743.tif 000013
【図１２】
2005062743.tif 000014
【図１３】
2005062743.tif 000015
【図１４】
2005062743.tif 000016
【図１５】
2005062743.tif 000017
【図１６】
2005062743.tif 000018